(57)【要約】【課題】内側遮蔽体と外側遮蔽体との間に空気またはガスを充填可能なチャンバを、環境に対し密封可能である限りにおいて設ける。【解決手段】バイザー組立体１，２１は内側遮蔽体６，２６と外側遮蔽体２，２２とから成っている。使用位置では、これらの遮蔽体は、幾分間隔をおいた位置にある。この構成では、内側遮蔽体６，２６は、外側遮蔽体２，２２の周囲輪郭の内側に位置している。内側遮蔽体６，２６はリム７，２７を備え、該リムが内側遮蔽体の外周近くに延在し、外側遮蔽体に対するスペーサとして機能している。このリム７，２７は、好ましくはシリコーン材料製であり、内側遮蔽体６，２６には固着しているが、外側遮蔽体２，２２には固着していない。外側遮蔽体２，２２に対する内側遮蔽体の固定は、機械式固定手段１０，１２によって行われる。【選択図】図１
2014224341.tif 000002
【特許請求の範囲】
【請求項１】
バイザー組立体であって、外側遮蔽体と、外側遮蔽体から間隔を置かれ且つ外側遮蔽体の外周より内方に位置する内側遮蔽体であり内側遮蔽体の外寸は外側遮蔽体の凹部の寸法に相応して内側遮蔽体が当該凹部に嵌る内側遮蔽体と、内側遮蔽体を外側遮蔽体に固定する機械的固定要素と、外側遮蔽体をヘルメットやゴーグルのような他の部品に固定するための要素と、内側遮蔽体の周囲に延びて内側遮蔽体に固着され外側遮蔽体に分離可能に嵌るスペーサと、を有するバイザー組立体。
【請求項２】
スペーサは、外側遮蔽体と内側遮蔽体との間のガス／空気チャンバのシール部材として作用する、請求項１に記載のバイザー組立体。
【請求項３】
外側遮蔽体と内側遮蔽体との間にガス／空気チャンバが形成され、ガス／空気チャンバの内幅は少なくとも２ｍｍである、請求項１又は請求項２に記載のバイザー組立体。
【請求項４】
機械的固定要素は、前記凹部内に内側遮蔽体を固定するスナップばめリム、又は内側遮蔽体内の凹部と協働する外側遮蔽体上のピンを備える、請求項１から請求項３のいずれか一項に記載のバイザー組立体。
【請求項５】
スペーサは、シリコーン材料で形成されている、請求項１から請求項４のいずれか一項に記載のバイザー組立体。
【請求項６】
スペーサは、ゴム状弾性シールである、請求項１から請求項４のいずれか一項に記載のバイザー組立体。
【請求項７】
スペーサは、フレキシブルシールである、請求項１から請求項４のいずれか一項に記載のバイザー組立体。
【請求項８】
内側遮蔽体は、熱処理された酢酸セルロースで形成される、請求項１から請求項７のいずれか一項に記載のバイザー組立体。
【請求項９】
内側遮蔽体は、プロピオン酸セルロースで形成される、請求項１から請求項７のいずれか一項に記載のバイザー組立体。
【請求項１０】
内側遮蔽体は、その一方の面に、曇り防止コーティングを備える、請求項１から請求項９のいずれか一項に記載のバイザー組立体。
【請求項１１】
内側遮蔽体は、その一方の面に、耐引っ掻き性コーティングを備える、請求項１から請求項９のいずれか一項に記載のバイザー組立体。
【請求項１２】
バイザー組立体であって、
交換可能な内側遮蔽体と、
内側遮蔽体から間隔を置かれる外側遮蔽体であり、外側遮蔽体は外側遮蔽体に内側遮蔽体を固定する機械的固定要素を保持し、内側遮蔽体は、外側遮蔽体により支持され、外側遮蔽体の外周より内方に位置し、外側遮蔽体と係合可能であり、外側遮蔽体とバイザー組立体から取り外し可能である、外側遮蔽体と、
内側遮蔽体の形状に少なくとも部分的に対応する外側遮蔽体のシートであり、機械的固定要素と組み合わされて内側遮蔽体がシート内に固定される、シートと、
外側遮蔽体に面する表面上で内側遮蔽体の周囲に延びて内側遮蔽体に固着され、外側遮蔽体から内側遮蔽体の間隔を置かせる、スペーサと、を有するバイザー組立体。
【請求項１３】
シートと協働する機械的固定要素は、スナップばめリム、又は内側遮蔽体内の凹部と協働する外側遮蔽体上のピンを備える、請求項１２に記載のバイザー組立体。
【請求項１４】
スペーサは、外側遮蔽体と内側遮蔽体との間のガス／空気チャンバのシール部材として作用する、請求項１２又は請求項１３に記載のバイザー組立体。
【請求項１５】
スペーサは、シリコーン材料で形成されている、請求項１２から請求項１４のいずれか一項に記載のバイザー組立体。
【請求項１６】
スペーサは、ゴム状弾性シールである、請求項１２から請求項１４のいずれか一項に記載のバイザー組立体。
【請求項１７】
内側遮蔽体は、熱処理された酢酸セルロースで形成される、請求項１２から請求項１６のいずれか一項に記載のバイザー組立体。
【請求項１８】
内側遮蔽体は、プロピオン酸セルロースで形成される、請求項１２から請求項１６のいずれか一項に記載のバイザー組立体。
【請求項１９】
内側遮蔽体は、その一方の面に、曇り防止コーティングを備える、請求項１２から請求項１８のいずれか一項に記載のバイザー組立体。
【請求項２０】
内側遮蔽体は、その一方の面に、耐引っ掻き性コーティングを備える、請求項１２から請求項１９のいずれか一項に記載のバイザー組立体。
【請求項２１】
バイザー組立体用の外側遮蔽体であり、
内側遮蔽体が嵌まり込む凹部と、
内側遮蔽体を外側遮蔽体に分離可能に固定する機械的固定要素と、
外側遮蔽体をヘルメットやゴーグルのような他の部品に固定するための部材と、を有する外側遮蔽体。
【請求項２２】
機械的固定要素は、前記凹部内に内側遮蔽体を固定するスナップばめリム、又は外側遮蔽体上のピンを備える、請求項２１に記載の外側遮蔽体。
【請求項２３】
バイザー組立体用の外側遮蔽体であり、
外側遮蔽体により内側遮蔽体が支持されるように内側遮蔽体を外側遮蔽体に固定し、外側遮蔽体外周より内方に位置し、外側遮蔽体から間隔を置かれ外側遮蔽体と分離可能に係合可能な機械的固定要素と、
機械的固定要素と協働して内側遮蔽体を固定するシートと、
外側遮蔽体をヘルメットやゴーグルのような支持部材に固定するための追加の固定部材と、を有する外側遮蔽体。
【請求項２４】
機械的固定要素は、スナップばめリム、又は外側遮蔽体上のピンを備える、請求項２３に記載の外側遮蔽体。
【発明の詳細な説明】
【技術分野】
【０００１】
本発明は、バイザー組立体であって、外側遮蔽体とこれに間隔をおいた内側遮蔽体とを含み、該内側遮蔽体が外側遮蔽体の外周より内方に位置しており、前記内側遮蔽体の外周に沿って延在するシール／スペーサが、外側遮蔽体と内側遮蔽体との間に配置されている形式のものに関する。
【背景技術】
【０００２】
この種のバイザー組立体は、特許文献１に開示されている。該刊行物には、外側遮蔽体と内側遮蔽体とから成る安全バイザー組立体が記載されている。内側遮蔽体はヘルメット構造物にヒンジ結合されている。双方の遮蔽体は、ゴム製リングによって間隔をおいて保持され、該ゴム製リングは、一方の遮蔽体のシート内に配置されている。その場合、各部品は成形材料により互いに固定されている。内側遮蔽体と外側遮蔽体との間隙に、任意にプラスチック配合物を充填することで、遮蔽体の強度を高めることができる。この種のヘルメットにとって、強度が最も重要である。
内側遮蔽体と外側遮蔽体とを間隔をおいて保持するための機械式構造物は、デレク（Ｄｅｒｅｋ）の特許Ｂ．Ｖ．の名称での特許文献２に開示されている。この構成では、外側遮蔽体が、ヘルメット等に固定されるための手段を備えている。この構成の目的は、バイザーの曇りを防止することである。この構成では、内側遮蔽体と外側遮蔽体との間隔は一カ所でしか保証されておらず、原則として、湿気を含む空気や、水分や、ほこりが、内側遮蔽体と外側遮蔽体との間に自由に出入することができる。このため、どんな条件下でも内側遮蔽体の曇りを最適な形式で防止するというわけにはいかない。
しかし、特許文献１による構成を使用した場合は、損傷した場合、内側遮蔽体と外側遮蔽体との双方を取り外さねばならない点が欠点となろう。
また、この種の構成で、内側遮蔽体と外側遮蔽体とが永久固定されている形式のものが、特許文献３と特許文献４とに開示されている。
【先行技術文献】
【特許文献】
【０００３】
【特許文献１】ＤＥ３２４４１５２Ａ１
【特許文献２】ＰＣＴ出願９６１６５６３
【特許文献３】ＵＳ３７１８９３７
【特許文献４】ＥＰ０５０４５１８Ａ
【発明の概要】
【発明が解決しようとする課題】
【０００４】
本発明の目的は、先行技術に関係する欠点を除去することにある。言い換えると、内側遮蔽体と外側遮蔽体との間に空気またはガスを充填可能なチャンバを、環境に対し密封可能である限りにおいて設けることが目的である。加えて、該チャンバの幅、すなわち内側遮蔽体と外側遮蔽体との内側間隔を、できる限り曇りが防止されるように、最適化せねばならない。更に、種々の構成部品が互いに別個に簡単に交換できなければならない。また遮蔽体の形状は、できるだけ互いに従うようにする、言い換えると遮蔽体は互いに正確に当て付けられるようにせねばならない。
【課題を解決するための手段】
【０００５】
これらの目的は、前記バイザー組立体の場合に、シール／スペーサが、内側遮蔽体には固着され、外側遮蔽体からは解離可能にされ、かつまた遮蔽体を互いに固定するために、機械式固定手段が２個の遮蔽体の間に設けられ、前記外側遮蔽体が、ヘルメットまたはゴーグルのフレーム等の別の部品に固定するための手段を備えるようにすることで、達せられた。
【０００６】
本発明によるバイザー組立体は、どのような用途にも使用可能であることが理解されよう。一つの重要な用途は、ヘルメットまたは他のかぶり物と組み合わせて使用することである。別の用途は、ゴーグルのような構造物に用いることである。しかし、本発明による技術は、車両の窓や戸外で露出している器具等のカバーにも利用できる。本発明の一つの具体的な用途は、低温時に使用されるヘルメットやゴーグルなどである。例えばスノーモービルの場合、ドライバーおよび／または乗員の呼気が、環境との直接の熱伝達の結果としてバイザー上に氷結する。驚くべきことに、このような問題は、本発明による構成の場合には、もはや発生しないことが判明した。
【０００７】
既述のことから分かるように、スペーサは内側遮蔽体にのみ固着されている。外側遮蔽体への内側遮蔽体の固定は、機械式の手段で行われる。したがって、内側遮蔽体と外側遮蔽体との結合は、好きなときに解離可能である。例えば、外側遮蔽体が破損した場合、これを取り外すことができる。更に、外側遮蔽体の内側、または内側遮蔽体の外側が、何らかの理由で曇ったり汚れたりした場合にも、取り外しを要することがある。
【０００８】
本発明の一好適実施例によれば、機械式の固定手段は、外側遮蔽体に設けられたピンを含み、該ピンが内側遮蔽体に設けられた切欠きと協働する。この機械式固定手段は、バイザー組立体の従来技術において周知であり、該固定手段により、内側遮蔽体と外側遮蔽体とが互いに位置づけられる。この構成は、デレクの特許Ｂ．Ｖ．という名称のヨーロッパ特許出願９５９３７２１２．９に記載されている。
【０００９】
本発明の場合、内側遮蔽体と外側遮蔽体との間には間隙が設けられている。
既述のピンおよびピンと協働する切欠きは、更に、用途に応じて開発することができる。例えば、ピンは偏心ピンを含むことができ、その結果として、より密接に切欠きの位置に係合できる。更に、切欠きは、内側遮蔽体に取り付けられる付属品に設けねばならない。付属品が弾性的な構造物を含む場合には、製造時または使用時に発生するピンと切欠きとの間の公差の相違は、補償することができる。
【００１０】
本発明の一好適実施例によれば、シール／スペーサは、シリコーン材料製である。シール／スペーサは、内側遮蔽体と外側遮蔽体との間のフレキシブルなシールとして機能する。更に、２つの遮蔽体間の圧縮ひずみは、一様に分布する。好ましくは、シリコーン材料は乾性の、固化したフレキシブルなシリコーン材料である。２つの遮蔽体間への湿分等の侵入は、このような構成によって出来るだけ防止される。スペーサは外側遮蔽体には固着されていないので、外側遮蔽体に対するいくらかの動きは可能である。このことは、内側遮蔽体と外側遮蔽体とが異なる材料製の場合、重要である。その一例は、外側遮蔽体がポリカーボネート製、内側遮蔽体が酢酸セルロース製の場合である。膨張率の相違は、ゴム製の弾性シールにより問題なしに克服できる。酢酸セルロースまたは他のプラスチックを使用する場合は、それらを前以て熱処理しておくことが重要である。それによって機械的強度を改善できる。また、この熱処理により、すべての方向に等しい特性を有する材料を得ることができ、かつまた材料が後に高温にさらされた場合に収縮を制限することができる。例えば酢酸セルロースは、この目的のため、約２時間、約２５〜８０℃で熱処理が可能である。
【００１１】
本発明の一好適実施例によれば、内側遮蔽体がプロピオン酸セルロース製である。プロピオン酸セルロースの光透過性は、酢酸セルロースのそれより多少すぐれている。内側遮蔽体には、シリコーン基剤のコーティングを施すことで親水特性を改善でき、それによって曇りを防止できる。他方の面には硬質の耐引っ掻き性のコーティングを施すことができる。内側遮蔽体を外側遮蔽体に対し取り外し可能にすることで、２つの位置で内側遮蔽体を使用できる。第１の位置は冬季位置で、この場合は、内側遮蔽体の曇り防止コーティングが使用者の顔に向けられ、第２の位置は夏季位置で、この場合は、内側遮蔽体が逆に取り付けられる。もちろん、その場合は、内側遮蔽体の両面に弾性材料製リムを設けておく。
【００１２】
既述のように内側遮蔽体にプロピオン酸セルロースを使用した場合も、外側遮蔽体に固定する技術が制限されることはない。言い換えると、プロピオン酸セルロース材料製の内側遮蔽体が、どのような形式で互いに固定され、相互シールを備えた、または相互シールなしの外側遮蔽体と、どのように組み合わされても、本発明の範囲に属している。
内側遮蔽体と外側遮蔽体との間隔は、所望に応じて調節でき、好ましくは２ｍｍ以上、特に約３ｍｍとする。これにより、内側遮蔽体と外側遮蔽体との間の絶縁が最適化されることは別として、そうすることにより、また内側遮蔽体と外側遮蔽体との間の最適シールも達せられる。双方の遮蔽体間のシールは、恒久的に閉止された構造物の場合より難しいことは理解されよう。
本発明の別の好適実施例によれば、外側遮蔽体が凹部を備えている。この凹部の寸法は、内側遮蔽体の外周の寸法に少なくとも合致している。内側遮蔽体は、この凹部にはめ込むことができる。機械式の固定手段は、この場合、スナップばめのリム等でよい。当業者には、シート内に内側遮蔽体を固定する他の構造物が容易に考えられるだろうが、それらも本発明の範囲に属している。
【図面の簡単な説明】
【００１３】
【図１】本発明によるバイザー組立体の第１実施例を取付けたヘルメットを示す図。
【図２】図１のバイザー組立体の斜視詳細図。
【図３】本発明によるバイザー組立体の第２実施例の斜視図。
【図４】図３のＩＶ〜ＩＶ線に沿った断面図。
【発明を実施するための形態】
【００１４】
以下で、本発明を図示の実施例につき、更に詳しく説明する。
図１には、本発明によるバイザー組立体が、その全体を符号１で示されている。外側遮蔽体は、詳細には示されていないヘルメット３にヒンジ結合されている。図２に見られるように、バイザー組立体１は、外側遮蔽体２に取り付けられた内側遮蔽体６から成っている。内側遮蔽体６は、切欠き１２と、外側遮蔽体２に取り付けられ、切欠き１２と一緒に保持部材８を形成しているピン１０とにより外側遮蔽体２内に固定される。この構成は、ヨーロッパ特許出願９５９３７２１２．９に、より詳しく記載されている。
【００１５】
本発明によれば、内側遮蔽体６は、シリコーン材料製の周部リム７を備えている。このリム材料は、内側遮蔽体に固着されており、固化した後、すなわちシリコーン材料７が接着特性を失った後でなければ、外側遮蔽体２に当て付けないようにする。このリム７を設けた結果として、内側遮蔽体６は、外側遮蔽体２から幾分間隔をおいて保持されることになる。更に、双方の遮蔽体６，２の間が完全にシールされる。
シリコーン材料７のリムにより生じる接着は恒久的なものではないので、何らかの理由で双方の遮蔽体６，３を分離する必要が生じた場合は、簡単に分離できる。
図示の固定手段８の代わりに、先行技術で公知の、機械式に固定する別の構成を用いてもよい。図３および図４には、本発明によるバイザー組立体の変化形が、全体を符号２１で示されている。これらの図では、バイザーのみが、何かに取り付けられずに示されている。
【００１６】
見られるように、凹部またはシート２３が外側遮蔽体２２に設けられている。この凹部またはシートの寸法は、内側遮蔽体２６の外寸に相応している。既出の実施例の場合のように、内側遮蔽体２２は、その周部近くに全周にわたってリムまたはリング２７が設けられている。このリムまたはリングは、フレキシブルなシール材料製である。外側遮蔽体２２への内側遮蔽体２６の固定は、簡単なスナップばめ構造により行われる。スナップばめ用リップ２４，２５はそれぞれ、外側遮蔽体２２の頂部と底部に設けられている。これにより、内側遮蔽体２６は、外側遮蔽体２２に対し押しはめて幾らかのプリストレスを与えることができる。スペーサ２７は、双方の遮蔽体の間をシールし、その結果として、湿気の侵入や、それによる外側遮蔽体２２の曇りを防止することができる。
【００１７】
内側遮蔽体が外側遮蔽体内に幾らか入り込む構成は、別の形式でも実現可能である。例えば、周部近くの外側遮蔽体の厚さを多少厚く、例えば３ｍｍ厚に構成することが可能である。この厚さ内に例えば１ｍｍ深さの凹部を形成することにより、内側遮蔽体をその凹部に収容することができる。言い換えると、外側遮蔽体の厚さは、内側遮蔽体の配置部分では、他の部分より薄くされる。この構成では、このように形成された凹部を、より厚い外側遮蔽体材料部分で限界づけることができる。しかし、また外側遮蔽体の薄手の部分を一定方向にその全長にわたって延在させることもできる。内側遮蔽体は、その方向で外側遮蔽体に対し移動させ、定位置へもたらすことができる。
図示の実施例を比較すると、当業者には直ちに別の実施例が明らかになろう。それらの実施例も明らかに既述の説明に含まれるものであり、特許請求の範囲の枠内に属するものとする。
【図１】
2014224341.tif 000003
【図２】
2014224341.tif 000004
【図３】
2014224341.tif 000005
【図４】
2014224341.tif 000006